(57)【要約】【課題】繰り返し折り曲げられても断線しない情報記録装置１を提供する。【解決手段】情報記録装置１は最下層基板３０ｂと、最下層基板３０ｂ上の導電回路１８Ａとを備えている。最下層基板３０ｂは第１基板９１と第２基板９２とを有し、第１基板９１の第１導電回路９３と第２基板９２の第２導電回路９４は折曲線６４を跨いで設けられたフレキシブル回路コネクタ８０により接続されている。フレキシブル回路コネクタ８０は、絶縁性基材８１と、絶縁性基材８１の一側に設けられた一側端子部８３と、他側に設けられた他側端子部８４とを有する。【選択図】図６Ａ
2018006272.tif 000002
【特許請求の範囲】
【請求項１】
折曲線を介して連結された第１導電回路を含む第１基板と、第２導電回路を含む第２基板との間に前記折曲線を跨いで設けられ、前記第１導電回路と前記第２導電回路を接続するフレキシブル回路コネクタにおいて、
絶縁性基材と、
前記絶縁性基材の一側に設けられ前記第１導電回路に接続される一側端子部と、
前記絶縁性基材の他側に設けられ前記第２導電回路に接続される他側端子部と、
前記一側端子部と前記他側端子部とを接続する導電部とを備えたことを特徴とするフレキシブル回路コネクタ。
【請求項２】
前記絶縁性基材は、ポリエチレンテレフタレートまたはポリブチレンテレフタレートを含むことを特徴とする請求項１記載のフレキシブル回路コネクタ。
【請求項３】
前記一側端子部および前記他側端子部上に、異方導電性接着剤が設けられていることを特徴とする請求項１または２記載のフレキシブル回路コネクタ。
【請求項４】
前記絶縁性基材上の前記導電部は絶縁層により覆われていることを特徴とする請求項１乃至３のいずれか記載のフレキシブル回路コネクタ。
【請求項５】
折曲線を介して連結された第１導電回路を含む第１基板と、第２導電回路を含む第２基板とを有する回路基板と、
前記第１導電回路または前記第２導電回路に接続された通信モジュールと、
前記第１基板と前記第２基板との間に、前記折曲線を跨いで設けられ、前記第１導電回路と前記第２導電回路を接続するフレキシブル回路コネクタと、を備え、
前記フレキシブル回路コネクタは、
絶縁性基材と、
前記絶縁性基材の一側に設けられ前記第１導電回路に接続される一側端子部と、
前記絶縁性基材の他側に設けられ前記第２導電回路に接続される他側端子部と、
前記一側端子部と前記他側端子部とを接続する導電部とを備えたことを特徴とする回路装置。
【請求項６】
前記一側端子部および前記他側端子部上、または前記第１導電回路および前記第２導電回路上に、異方導電性接着剤が設けられていることを特徴とする請求項５記載の回路装置。
【請求項７】
折曲線を介して連結された第１導電回路を含む第１基板と、第２導電回路を含む第２基板とを有する回路基板と、
前記第１導電回路または前記第２導電回路に接続された通信モジュールと、
前記第１基板と前記第２基板との間に、前記折曲線を跨いで設けられ、前記第１導電回路と前記第２導電回路を接続するフレキシブル回路コネクタと、
前記第１導電回路または前記第２導電回路は一部が破断可能となっており、
前記通信モジュールはＩＣチップと、このＩＣチップに電源電圧を供給するボタン電池とを有し、
前記ＩＣチップは前記第１導電回路または第２導電回路の破断した位置情報と、破断した時刻を時系列で記録する記録部と、
前記記録部を制御する制御部と、
外部のホスト装置との間で近接通信を行う無線通信部とを有し、
前記フレキシブル回路コネクタは、
絶縁性基材と、
前記絶縁性基材の一側に設けられ前記第１導電回路に接続される一側端子部と、
前記絶縁性基材の他側に設けられ前記第２導電回路に接続される他側端子部と、
前記一側端子部と前記他側端子部とを接続する導電部とを備えたことを特徴とする情報記録装置。
【請求項８】
前記一側端子部および前記他側端子部上、または前記第１導電回路および前記第２導電回路上に、異方導電性接着剤が設けられていることを特徴とする請求項７記載の情報記録装置。
【請求項９】
折曲線を介して連結された第１導電回路を含む第１基板と、第２導電回路を含む第２基板とを有する回路基板と、
前記第１導電回路または前記第２導電回路に接続された通信モジュールと、
前記第１基板と前記第２基板との間に、前記折曲線を跨いで設けられ、前記第１導電回路と前記第２導電回路を接続するフレキシブル回路コネクタと、
前記第１導電回路または前記第２導電回路は、押圧可能となっており、
前記通信モジュールはＩＣチップと、このＩＣチップに電源電圧を供給するボタン電池とを有し、
前記ＩＣチップは前記第１導電回路または第２導電回路のうち押圧された選択ボタンを特定する情報と、押圧された時刻を時系列で記録する記録部と、
前記記録部を制御する制御部と、
外部のホスト装置との間で近接通信を行う無線通信部とを有し、
前記フレキシブル回路コネクタは、
絶縁性基材と、
前記絶縁性基材の一側に設けられ前記第１導電回路に接続される一側端子部と、
前記絶縁性基材の他側に設けられ前記第２導電回路に接続される他側端子部と、
前記一側端子部と前記他側端子部とを接続する導電部とを備えたことを特徴とする情報記録装置。
【請求項１０】
前記一側端子部および前記他側端子部上、または前記第１導電回路および前記第２導電回路上に、異方導電性接着剤が設けられていることを特徴とする請求項９記載の情報記録装置。
【請求項１１】
折曲線を介して連結された第１導電回路を含む第１基板と、第２導電回路を含む第２基板とを有する回路基板と、
前記第１導電回路または前記第２導電回路に接続された通信モジュールと、
前記第１基板と前記第２基板との間に、前記折曲線を跨いで設けられ、前記第１導電回路と前記第２導電回路を接続するフレキシブル回路コネクタと、
前記第１導電回路または前記第２導電回路は、一部が破断可能となるとともに、押圧可能な選択ボタンを有し、
前記通信モジュールはＩＣチップと、このＩＣチップに電源電圧を供給するボタン電池とを有し、
前記ＩＣチップは前記第１導電回路または第２導電回路の破断した位置情報と、破断した時刻を時系列で記録するとともに、前記導電回路のうち押圧された選択ボタンを特定する情報と、押圧された時刻を時系列で記録する記録部と、
前記記録部を制御する制御部と、
外部のホスト装置との間で近接通信を行う無線通信部とを有し、
前記フレキシブル回路コネクタは、
絶縁性基材と、
前記絶縁性基材の一側に設けられ前記第１導電回路に接続される一側端子部と、
前記絶縁性基材の他側に設けられ前記第２導電回路に接続される他側端子部と、
前記一側端子部と前記他側端子部とを接続する導電部とを備えたことを特徴とする情報記録装置。
【請求項１２】
前記一側端子部および前記他側端子部上、または前記第１導電回路および前記第２導電回路上に、異方導電性接着剤が設けられていることを特徴とする請求項１１記載の情報記録装置。
【発明の詳細な説明】
【技術分野】
【０００１】
本発明は、フレキシブル回路コネクタ、回路装置および情報記録装置に係り、とりわけ通信モジュールを再利用することができるフレキシブル回路コネクタ、回路装置および情報記録装置に関する。
【背景技術】
【０００２】
基板上に導電パターンをシルク印刷し、導電パターンの端子部に導電性接着剤を介して通信モジュールのパッドを電気的に接続したシート状の検定装置が実用化されている。
【０００３】
特許文献１に開示された検定装置は、郵便物としてユーザに送付でき、受け取ったユーザが表紙を剥がすと、内側の頁には、いくつかの選択ボタンとその説明文が設けられており、説明文の内容にしたがって任意の選択ボタンを押圧すると、その情報が紙基板に埋め込まれた通信モジュールに記憶され、記憶された情報は近接無線通信でホスト装置で読み出せるようにしている。
【０００４】
ところで、このような検知装置において、導電パターンを有する基板は、折曲線を介して連結された複数の基板からなり、使用中基板は拡げられるが、使用後は折曲線を介して折り曲げられてコンパクトに折り畳まれる。しかしながら基板を折り曲げたり拡げたりする作業を繰り返すと、折曲線を跨ぐ導電パターンが破損したり損傷することがある。
【先行技術文献】
【特許文献】
【０００５】
【特許文献１】特表２００８−５１６２４８号公報
【特許文献２】特開平７−２２０９９号公報
【発明の概要】
【発明が解決しようとする課題】
【０００６】
本発明は、このような点を考慮してなされたものであり、基板を繰り返し折り曲げたり拡げても導電パターンが破損したり損傷することがないフレキシブル回路コネクタ、回路装置および情報記録装置を提供することを目的とする。
【課題を解決するための手段】
【０００７】
本発明は、折曲線を介して連結された第１導電回路を含む第１基板と、第２導電回路を含む第２基板との間に前記折曲線を跨いで設けられ、前記第１導電回路と前記第２導電回路を接続するフレキシブル回路コネクタにおいて、絶縁性基材と、前記絶縁性基材の一側に設けられ前記第１導電回路に接続される一側端子部と、前記絶縁性基材の他側に設けられ前記第２導電回路に接続される他側端子部と、前記一側端子部と前記他側端子部とを接続する導電部とを備えたことを特徴とするフレキシブル回路コネクタである。
【０００８】
本発明は、前記絶縁性基材は、ポリエチレンテレフタレートまたはポリブチレンテレフタレートを含むことを特徴とするフレキシブル回路コネクタである。
【０００９】
本発明は、前記一側端子部および前記他側端子部上に、異方導電性接着剤が設けられていることを特徴とするフレキシブル回路コネクタである。
【００１０】
前記絶縁性基材上の前記導電部は絶縁層により覆われていることを特徴とするフレキシブル回路コネクタである。
【００１１】
本発明は、折曲線を介して連結された第１導電回路を含む第１基板と、第２導電回路を含む第２基板とを有する回路基板と、前記第１導電回路または前記第２導電回路に接続された通信モジュールと、前記第１基板と前記第２基板との間に、前記折曲線を跨いで設けられ、前記第１導電回路と前記第２導電回路を接続するフレキシブル回路コネクタと、を備え、前記フレキシブル回路コネクタは、絶縁性基材と、前記絶縁性基材の一側に設けられ前記第１導電回路に接続される一側端子部と、前記絶縁性基材の他側に設けられ前記第２導電回路に接続される他側端子部と、前記一側端子部と前記他側端子部とを接続する導電部とを備えたことを特徴とする回路装置である。
【００１２】
本発明は、前記一側端子部および前記他側端子部上、または前記第１導電回路および前記第２導電回路上に、異方導電性接着剤が設けられていることを特徴とする回路装置である。
【００１３】
本発明は、折曲線を介して連結された第１導電回路を含む第１基板と、第２導電回路を含む第２基板とを有する回路基板と、前記第１導電回路または前記第２導電回路に接続された通信モジュールと、前記第１基板と前記第２基板との間に、前記折曲線を跨いで設けられ、前記第１導電回路と前記第２導電回路を接続するフレキシブル回路コネクタと、前記第１導電回路または前記第２導電回路は一部が破断可能となっており、前記通信モジュールはＩＣチップと、このＩＣチップに電源電圧を供給するボタン電池とを有し、前記ＩＣチップは前記第１導電回路または第２導電回路の破断した位置情報と、破断した時刻を時系列で記録する記録部と、前記記録部を制御する制御部と、外部のホスト装置との間で近接通信を行う無線通信部とを有し、前記フレキシブル回路コネクタは、絶縁性基材と、前記絶縁性基材の一側に設けられ前記第１導電回路に接続される一側端子部と、前記絶縁性基材の他側に設けられ前記第２導電回路に接続される他側端子部と、前記一側端子部と前記他側端子部とを接続する導電部とを備えたことを特徴とする情報記録装置である。
【００１４】
本発明は、折曲線を介して連結された第１導電回路を含む第１基板と、第２導電回路を含む第２基板とを有する回路基板と、前記第１導電回路または前記第２導電回路に接続された通信モジュールと、前記第１基板と前記第２基板との間に、前記折曲線を跨いで設けられ、前記第１導電回路と前記第２導電回路を接続するフレキシブル回路コネクタと、前記第１導電回路または前記第２導電回路は、押圧可能となっており、前記通信モジュールはＩＣチップと、このＩＣチップに電源電圧を供給するボタン電池とを有し、前記ＩＣチップは前記第１導電回路または第２導電回路のうち押圧された選択ボタンを特定する情報と、押圧された時刻を時系列で記録する記録部と、前記記録部を制御する制御部と、外部のホスト装置との間で近接通信を行う無線通信部とを有し、前記フレキシブル回路コネクタは、絶縁性基材と、前記絶縁性基材の一側に設けられ前記第１導電回路に接続される一側端子部と、前記絶縁性基材の他側に設けられ前記第２導電回路に接続される他側端子部と、前記一側端子部と前記他側端子部とを接続する導電部とを備えたことを特徴とする情報記録装置である。
【００１５】
本発明は、折曲線を介して連結された第１導電回路を含む第１基板と、第２導電回路を含む第２基板とを有する回路基板と、前記第１導電回路または前記第２導電回路に接続された通信モジュールと、前記第１基板と前記第２基板との間に、前記折曲線を跨いで設けられ、前記第１導電回路と前記第２導電回路を接続するフレキシブル回路コネクタと、前記第１導電回路または前記第２導電回路は、一部が破断可能となるとともに、押圧可能な選択ボタンを有し、前記通信モジュールはＩＣチップと、このＩＣチップに電源電圧を供給するボタン電池とを有し、前記ＩＣチップは前記第１導電回路または第２導電回路の破断した位置情報と、破断した時刻を時系列で記録するとともに、前記導電回路のうち押圧された選択ボタンを特定する情報と、押圧された時刻を時系列で記録する記録部と、前記記録部を制御する制御部と、外部のホスト装置との間で近接通信を行う無線通信部とを有し、前記フレキシブル回路コネクタは、絶縁性基材と、前記絶縁性基材の一側に設けられ前記第１導電回路に接続される一側端子部と、前記絶縁性基材の他側に設けられ前記第２導電回路に接続される他側端子部と、前記一側端子部と前記他側端子部とを接続する導電部とを備えたことを特徴とする情報記録装置である。
【００１６】
本発明は、前記一側端子部および前記他側端子部上、または前記第１導電回路および前記第２導電回路上に、異方導電性接着剤が設けられていることを特徴とする情報記録装置である。
【発明の効果】
【００１７】
本発明によれば、基板を繰り返し折り曲げたり、拡げても導電パターンが破損したり損傷することはない。
【図面の簡単な説明】
【００１８】
【図１】図１は本発明の実施形態に係る情報記録装置の外観図。
【図２】図２は図１の情報記録装置の展開図。
【図３】図３は通信モジュールの概略構成を示すブロック図。
【図４】図４はＡＳＩＣの内部構成の一例を示すブロック図。
【図５】図５は服薬記録カードの元となる紙基板を展開した図。
【図６Ａ】図６Ａはフレキシブル回路コネクタを示す平面図。
【図６Ｂ】図６Ｂはフレキシブル回路コネクタを示す側面図。
【図７Ａ】図７Ａはフレキシブル回路コネクタを示す側断面図。
【図７Ｂ】図７Ｂはフレキシブル回路コネクタを示す側断面図。
【図８】図８は本発明の変形例を示す最下層基板を示す図。
【図９】図９は本発明の変形例を示すフレキシブル回路コネクタを示す図。
【図１０】図１０は本発明の変形例を示す異方導電性接着剤が塗布された図。
【図１１】図１１は本発明の変形例によるフレキシブル回路コネクタを示す図。
【図１２】図１２は本発明の他の変形例を示す最下層基板を示す平面図。
【図１３】図１３は本発明の他の変形例を示す最下層基板を示す平面図。
【図１４】図１４は本発明の他の変形例を示す最下層基板を示す平面図。
【図１５】図１５は本発明の他の変形例を示す最下層基板を示す平面図。
【図１６】図１６は本発明の実施例１における紙基板を示す平面図。
【図１７】図１７は紙基板に異方導電性接着剤を設けた状態を示す図。
【図１８】図１８は本発明の実施例１におけるフレキシブル回路コネクタを示す平面図。
【図１９】図１９は本発明の実施例２における紙基板を示す平面図。
【図２０】図２０は本発明の実施例２におけるフレキシブル回路コネクタを示す平面図。
【図２１】図２１は情報記録装置の折り曲げ状態を示す斜視図。
【図２２】図２２は情報記録装置の折り曲げ状態を示す斜視図。
【発明を実施するための形態】
【００１９】
＜本発明の実施の形態＞
以下、本発明の実施の形態について、詳細に説明する。  
本実施形態は、患者が薬を服用した日時と服用後の具合を記録する情報記録装置（回路装置ともいう）であって、図１はその外観図である。図１の情報記録装置は、シート状の服薬記録カード１からなり、折り畳み式になっていて、展開すると図２のような情報入力面２が現れる。情報記録装置としての服薬記録カード１は後述する紙基板３０と、紙基板３０上に設けられた導電回路１８Ａと、この導電回路１８Ａに回路コネクタ９０を介して接続された無線送信可能な通信モジュール１０とを備えている（図３および図５参照）。
【００２０】
このうち紙基板３０と、この紙基板３０上に設けられた導電回路１８Ａとにより、回路基板７０が構成されている。なお、回路コネクタ９０は必ずしも設ける必要はなく、また回路コネクタ９０はフレキシブルなコネクタでも堅固なコネクタであってもよい。
【００２１】
服薬記録カードからなる情報記録装置１について更に述べる。服薬記録カード１は患者が病院での診察を終えて、処方箋に基づいて薬の調合が終わった段階で患者に渡されるものである。この服薬記録カード１では、患者が薬を服用した後に、患者自ら選択ボタンを押圧して、体の具合を記録できるようにしている。
【００２２】
図２の服薬記録カード１の情報入力面２は３面構成であり、第１面２ａにはスタートボタン３と取り消しボタン４が設けられ、第２面２ｂには患者が服用すべき薬（錠剤）５が配置され、第３面２ｃには患者の症状の度合いを入力するための選択ボタンが配置されている。第１面２ａの裏面側が図１の「服薬記録カード１」と記載された面である。
【００２３】
第３面２ｃには、薬の効用に関連する複数の症状が記載されている。図２の例では、（１）症状１、（２）症状２、（３）症状３、（４）症状４および（５）症状５の計５種類の症状が記載され、各症状ごとに、３通りの度合い（重度、中度、軽度）から一つを選択可能になっている。患者は、まず、５種類の症状に対応する選択ボタン６ａ〜６ｅからなる第１ボタン列６のいずれかを押圧して、特定の症状を選択した後に、引き続いて、その症状の度合いに対応する選択ボタン７ａ〜７ｃからなる第２ボタン列７のいずれかを押圧する。これにより、患者は、薬を服用した後に特定の症状の度合いを入力できる。患者は、必ずしも５種類の症状のすべてに回答する必要はなく、一部の症状のみに回答してもよい。
【００２４】
第１ボタン列６を構成する各選択ボタン６ａ〜６ｅは図２のＸ方向に沿って配置され、第２ボタン列７を構成する各選択ボタンは、第１ボタン列６に略平行にＹ方向に沿って複数列にわたって配置されている。
【００２５】
なお、第３面２ｃに記載された症状とその度合いは、あくまで一例にすぎず、薬の種類によって任意に変更して構わない。
【００２６】
患者は、服薬記録カード１の使用を開始するときに、スタートボタン３を押圧する。その後、患者は、第２面２ｂに配置された錠剤５のケースを指で押し込んで、第２面２ｂの下面側から薬を取り出して、服用する。そして、服用後の症状の度合いに該当する選択ボタン６，７を押圧する。
【００２７】
患者が押圧したスタートボタン３、取り消しボタン４、錠剤５の各ケースおよび各選択ボタン６，７の情報は、服薬記録カード１内に内蔵された通信モジュール１０に自動的に記憶される仕組みになっている。
【００２８】
図３は上述した無線通信可能な通信モジュール１０の概略構成を示すブロック図である。図３の通信モジュール１０は、樹脂基板１１の上に実装されたＩＣチップとしてのＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２と、水晶振動子１３と、ボタン電池１４と、スピーカ１５と、樹脂基板１１の長辺に沿って形成される複数のパッド１６と、樹脂基板１１の外縁部に沿って形成されるアンテナパターン１７ａと、樹脂基板１１上に形成される導電パターン１７ｂとを有する。
【００２９】
図３は通信モジュール１０の内部構成を機能化したブロック図であり、実際の各回路部品やパターンの配置やサイズ、形状、個数は任意に変更可能である。
【００３０】
図４はＡＳＩＣ１２の内部構成の一例を示すブロック図である。図４のＡＳＩＣ１２は、患者が押圧したスタートボタン３、取り消しボタン４、錠剤５の各ケースおよび各選択ボタンの情報を時刻情報とともに時系列で記憶する記憶部２１と、記憶部２１に押圧情報を記憶する制御を行う制御部２２と、不図示のホストコンピュータとの間で無線通信を行う無線通信部２３とを有する。
【００３１】
記憶部２１は、患者が押圧したボタンを特定する情報と、そのボタンが押圧された時刻情報とを組にして記憶する。取り消しボタン４は、取り消しボタン４が押圧される直前に押圧されたボタンの情報を取り消すことを意図したものである。ホストコンピュータは、記憶部２１に取り消しボタン４の押圧を特定する情報と、そのボタンが押圧された時刻情報とが記憶されている場合は、取り消しボタン４の直前に押圧されたボタンの情報を取り消す。
【００３２】
無線通信部２３は、ホストコンピュータとの間で、いわゆるＮＦＣ（Ｎｅａｒ  Ｆｉｅｌｄ  Ｃｏｍｍｕｎｉｃａｔｉｏｎ、近接無線通信）を行って、情報の送受を行う。無線通信部２３が無線通信に用いる方式や周波数帯域は特に制限されるものではなく、例えば１３．５６ＭＨｚの帯域でＩＳＯ１４４４３に準拠した無線方式で無線通信を行う。
【００３３】
ＮＦＣでは、規格上電力の送受もできるため、電池なしで通信モジュール１０を駆動することも原理的には可能である。ただし、本実施形態の通信モジュール１０は、スピーカ１５も備えており、電力の消費量が比較的大きいため、ボタン電池１４を搭載している。
【００３４】
次に、本実施形態に係る服薬記録カード１の具体的構造について説明する。上述した服薬記録カード１は、１枚の紙基板を縦方向に三等分して折り畳んだ三層構造であり、その表面に図２に示す情報入力面２が現れるようにしている。これをさらに後述する折曲線６４に沿って横方向に三等分して折り畳むと図１に示す構造になる。以下では、大元の１枚の紙基板に形成される導電パターンについて説明する。
【００３５】
図５は服薬記録カード１の元となる紙基板３０を展開した図である。図５の紙基板３０を縦方向に延びる折り目６１で三等分に分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。また、各分割基板３０ａ，３０ｂ，３０ｃは上述のように折曲線６４を有し、各分割基板３０ａ，３０ｂ，３０ｃは横方向に延びる各々の折曲線６４を介して三等分に折り畳まれる。図５において、便宜上、各分割基板３０ａ，３０ｂ，３０ｃには２本の単一の折曲線６４が設けられているが単一の折曲線６４の代わりに一対の平行する折曲線６４，６４を設けてもよい（図１参照）。
【００３６】
図５の中央の分割基板３０ｂは、最下層に配置されて導電パターン１８が形成される最下層基板３０ｂである。その右側の分割基板３０ｃは、主に切り欠き６２とミシン目６３を有し、最下層基板３０ｂの上に配置される中間層基板３０ｃである。最下層基板３０ｂの左側の分割基板３０ａは、スイッチ接点の導通／遮断を行う導電パターン３８を有し、中間層基板３０ｃの上に配置される最上層基板３０ａである。
【００３７】
後述するように、三等分された最下層基板３０ｂに中間層基板３０ｃを折り畳んで熱圧着した後に、その上に錠剤５を含む成形シートを載せ、その上に最上層基板３０ａを折り畳んで熱圧着することにより、図２の構造が得られる。したがって、図５に示す最上層基板３０ａの裏面側が、図２に示す情報入力面２になる。
【００３８】
最下層基板３０ｂの上に中間層基板３０ｃを折り畳んで熱圧着する前に、最下層基板３０ｂに通信モジュール１０が接合され、その上に最上層基板３０ａが熱圧着される。このように、通信モジュール１０は、最下層基板３０ｂと最上層基板３０ａの間に挟み込まれる。これにより、最下層基板３０ｂの表面に形成された導電パターン１８と通信モジュール１０は、服薬記録カード１の完成状態では、外見に現れない。同様に、最上層基板３０ａ上の導電パターンも、中間層基板３０ｃの上に折り畳まれて熱圧着されるため、外見に現れない。
【００３９】
次に、最下層基板３０ｂの表面に形成された導電パターン１８について図５を用いて説明する。図５の導電パターン１８は、三等分された第１〜第３面２ａ〜２ｃからなる情報入力面２に対応した第１〜第３パターン面３０ｂ１〜３０ｂ３を有する。
【００４０】
第１パターン面３０ｂ１は、スタートボタン３に対応したスイッチ接点３１と、取り消しボタン４に対応したスイッチ接点３２とを有する。第２パターン面３０ｂ２は、錠剤５の各ケースに対応した計６つのスイッチ接点３３を有する。第３パターン面３０ｂ３は、患者の症状および症状の程度を選択する各選択ボタンに対応した計１５個のスイッチ接点３４〜３７を有する。
【００４１】
これらスイッチ接点３１〜３７のうち、錠剤５の各ケースに対応した計６つのスイッチ接点３３は初期状態で導通しており、それ以外の全てのスイッチ接点３１，３２，３４〜３７は初期状態で遮断されている。
【００４２】
錠剤５の各ケースに対応したスイッチ接点３３は、ケースを押圧して錠剤５を取り出す際に物理的に破断されて、電気的導通が遮断される。それ以外のスイッチ接点３１，３２，３４〜３７は、対応するボタンを押圧したときに、情報入力面２の裏面側に設けられた円形の導電パターン３８が対応するスイッチ接点に接触して、押圧している間だけ一時的に導通する。
【００４３】
このように、スイッチ接点３１〜３７の中には、初期状態で電気的に導通しているものと、電気的に遮断されているものとがある。各スイッチ接点を物理的に破断するか、各スイッチ接点に別の導電パターンを接触させることにより、スイッチ接点の状態を切り替えることができる。
【００４４】
図５に示す各スイッチ接点３１〜３７の一端は、導電パターン１８を介して第１パターン面３０ｂ１上の端子部３９の対応する端子に接続され、他端はいずれも導電パターン１８を介して接地端子に接続されている。端子部３９には、スイッチ接点の総数分の端子が設けられ、これに加えて、端子部３９の両端側には接地端子が設けられている。接地端子から延びる導電パターン（以下、接地パターン１８ａ）は、第１〜第３パターン面３０ｂ３の外縁に沿って、他の導電パターンとスイッチ接点を取り囲むように形成されている。
【００４５】
この接地パターン１８ａは、ノイズの低減を図るために、他の導電パターンよりも太く形成されている。
【００４６】
ここで上述した導電パターン１８と接地パターン１８ａとにより、導電回路１８Ａが構成される。また導電回路１８Ａに端子部３９が接続される。また紙基板３０と、紙基板３０上に形成された導電回路１８Ａとにより通信モジュール１０が接合される前の回路基板７０が構成される。
【００４７】
このように、すべてのスイッチ接点が、対応する端子と接地パターン１８ａとの間に接続されている。したがって、いずれかのスイッチ接点の状態が変化すると、その変化した情報が、専用の端子を介して通信モジュール１０に伝達されることになる。通信モジュール１０内の記憶部２１は、接点の状態が変化したスイッチ接点を特定する情報と、すなわち押圧された選択ボタンまたは破断位置を特定する情報と、接点の状態が変化した時刻情報とを記憶する。
【００４８】
第３パターン面３０ｂ３上の各スイッチ接点は、Ｘ方向に沿って配置される第１ボタン列に対応する第１スイッチ接点列３４と、第１ボタン列に略平行にＹ方向に沿って配置される複数の第２ボタン列に対応する複数の第２スイッチ接点列３５〜３７とにグループ分けされている。
【００４９】
第２スイッチ接点列３５〜３７のそれぞれにおける計５個のスイッチ接点の一端側はいずれも共通の端子に接続され、他端側はいずれも接地端子に接続されており、これら５個のスイッチ接点は並列接続されている。図５の例では、計５個のスイッチ接点が並列接続された第２スイッチ接点列３５〜３７が計３個設けられている。
【００５０】
並列接続された各スイッチ接点列３５〜３７内のどのスイッチ接点の状態が変化しても、その状態変化情報は同じ端子を介して通信モジュール１０に伝達されるため、通信モジュール１０では、どのスイッチ接点が変化したのかをその情報だけでは特定できない。そこで、本実施形態では、第２スイッチ接点列３５〜３７内のスイッチ接点の状態を変化させる前に、第１スイッチ接点列３４内のスイッチ接点の状態を変化させるようにルール化することで、第２スイッチ接点列３５〜３７内のどのスイッチ接点の状態が変化したかを特定している。
【００５１】
より具体的には、まず第１スイッチ接点列３４内のいずれかのスイッチ接点の状態を変化させて、このスイッチ接点のＸ方向位置を検出する。そして、同じＸ方向位置にある第２スイッチ接点列３５〜３７内の計３個のスイッチ接点を選択候補として決定する。次に、これら３個のスイッチ接点の中で、状態が変化したものがあれば、そのスイッチ接点の情報を通信モジュール１０に伝達する。
【００５２】
このように、第１スイッチ接点列３４内のスイッチ接点の状態変化情報と、第２スイッチ接点列３５〜３７内のスイッチ接点の状態変化情報とを組み合わせることで、第２スイッチ接点列３５〜３７内の特定のスイッチ接点の状態を正しく通信モジュール１０に伝達することができる。
【００５３】
複数のスイッチ接点を並列接続して、一端側を共通の端子に接続することは、端子部３９内の端子の総数と導電パターン１８の数を削減できることから、特にパターン面積が限られている場合に有効である。第２スイッチ接点列３５〜３７内の複数のスイッチ接点を並列接続しても、第２スイッチ接点列３５〜３７と平行に配置された第１スイッチ接点列３４内のスイッチ接点の状態と組み合わせることで、第２スイッチ接点列３５〜３７内の特定のスイッチ接点の状態を正確に特定できるため、実用上の問題は起きない。  
このように、本実施形態に係る服薬記録カード１は、スタートボタン３や各種の選択ボタンの他に、直前のボタン操作を取り消すための取り消しボタン４を具備するため、ボタンの誤操作による誤った情報が取消情報なく通信モジュール１０に伝達されるおそれがなくなり、通信モジュール１０およびホストコンピュータに伝達される情報の信頼性が向上する。
【００５４】
ところで、上述のように各分割基板３０ａ，３０ｂ，３０ｃは、横方向に延びる各々の折曲線６４を介して三等分に折り畳まれる。
【００５５】
このうち最下層基板３０ｂには、導電パターン１８と接地パターン１８ａとからなる導電回路１８Ａが設けられている。また最下層基板３０ｂの折曲線６４近傍には、折曲線６４を介して最下層基板３０ｂを繰り返し折り曲げた場合でも、導電回路１８Ａが破断したり破損することを防止するため、フレキシブル回路コネクタ８０Ａ，８０Ｂが設けられている。
【００５６】
具体的には最下層基板３０ｂは、横方向に延びる２本の折曲線６４を介して三等分に折り畳まれるが、この場合、最下層基板３０ｂは２本の折曲線６４により、第１基板９１と第２基板９２と第３基板９５とに区画され、第１基板９１と第２基板９２との間に折曲線６４を跨いでフレキシブル回路コネクタ８０Ａが設けられ、第２基板９２と第３基板９５との間に折曲線６４を跨いでフレキシブル回路コネクタ８０Ｂが設けられている。
【００５７】
フレキシブル回路コネクタ８０Ａ，８０Ｂは、略同様の構造をもつため、ここではフレキシブル回路コネクタ８０Ａについて図６Ａおよび図６Ｂにより説明する。
【００５８】
図６Ａおよび図６Ｂに示すように、導電回路１８Ａのうち第１基板９１上の導電回路は、第１導電回路９３となっており、第２基板９２上の第２導電回路９４となっている。
【００５９】
フレキシブル回路コネクタ８０Ａは最下層基板３０ｂのうち、折曲線６４を介して連結された第１基板９１と第２基板９２との間に折曲線６４を跨いで設けられ、第１基板９１側の第１導電回路９３と第２基板９２側の第２導電回路９４とを接続するものである。この場合、第１基板９１上の第１導電回路９３と第２基板９２上の第２導電回路９４は互いに離間し、フレキシブル回路コネクタ８０Ａを設けることにより、初めて導通するようになっている。しかしながら、フレキシブル回路コネクタ８０Ａがない場合でも、第１基板９１上の第１導電回路９３と第２基板９２上の第２導電回路９４を接続しておいてもよい。この場合、フレキシブル回路コネクタ８０Ａは、第１導電回路９３と第２導電回路９４が切断した際のバックアップ回路として機能する。
【００６０】
次にフレキシブル回路コネクタ８０Ａについて更に述べる。
【００６１】
図５、図６Ａおよび図６Ｂに示すように、フレキシブル回路コネクタ８０Ａは、絶縁性基材８１と、絶縁性基材８１の一側に設けられた一側端子部８３と、絶縁性基材８１の他側に設けられた他側端子部８４と、これら一側端子部８３と他側端子部８４とを接続する複数の導電部（導電インキ）８２とを有する。
【００６２】
この場合、導電部８２は一側端子部８３から他側端子部８４まで直線状に延びている。
【００６３】
また一側端子部８３および他側端子部８４上には、ヒートシール時に異方導電性能を発現する異方導電性接着剤８７が設けられている。
【００６４】
ところで、一側端子部８３は第１基板９１上の第１導電回路９３に接続される端子部であり、他側端子部８４は第２基板９２上の第２導電回路９４に接続される端子部である。
【００６５】
また絶縁性基材８１上には、一側端子部８３と一側端子部８３上の異方導電性接着剤８７、他側端子部８４と他側端子部８４上の異方導電性接着剤８７を露出させ、導電部８２上を覆ってアクリルからなる絶縁層８８が設けられている。
【００６６】
絶縁層８８の材質としては、特に限定はなく、ビニル系、ゴム系などの材料を使用できる。また、図７Ａに示すように、フレキシブル回路８０の絶縁層８８として、異方導電性接着剤製のものを使用することもできる。
【００６７】
図７Ａにおいて、導電部８２上に同一の異方導電性接着剤を印刷することにより、異方導電性接着剤からなり異方導電性能を発現する予定となる異方導電性能発現予定部８７ａと、異方導電性能を発現しない異方導電性接着剤製の絶縁層８８とを同時に形成することができ、製造効率の向上を図ることができる。
【００６８】
図７Ｂに示すように、フレキシブル回路コネクタ８０Ａを第１導電回路９３または第２導電回路９４にヒートシールする際、異方導電性接着剤からなる異方導電性能発現予定部８７ａがヒートシールされて、異方導電性能を発現する異方導電性能発現部８７ｂに変わる。図７Ｂにおいて、絶縁層８８は、異方導電性接着剤からなるが、異方導電性能は発現していない。
【００６９】
なお、フレキシブル回路コネクタ８０の絶縁性基材８１は、柔軟性基材、例えばポリエチレンテレフタレートまたはポリブチレンテレフタレート製の基材からなる。そしてフレキシブル回路コネクタ８０は一側端子部８３および他側端子部８４を下方に向けて、一側端子部８３と第１基板９１の第１導電回路９３を接続させ、他側端子部８４と第２基板９２の第２導電回路９４とを接続させて、第１導電回路９３と第２導電回路９４とを接続する（図６Ａおよび図６Ｂ参照）。
【００７０】
このように最下層基板３０ｂの第１基板９１と第２基板９２との間に折曲線６４を跨いで、第１導電回路９３と第２導電回路９４を接続してフレキシブル回路コネクタ８０Ａを設けることにより、最下層基板３０ｂを折曲線６４を介して繰り返し折り曲げたり拡げたりした場合であっても、フレキシブル回路コネクタ８０Ａが破断することはない。このことにより、第１基板９１の第１導電回路９３と第２基板９２の第２導電回路９４との間で、破断したり破損することなく、常に安定的に第１導電回路９３と第２導電回路９４との間の導通を得ることができる。
【００７１】
次にフレキシブル回路コネクタの使用方法について図６Ａおよび図６Ｂにより説明する。
【００７２】
まず上述したフレキシブル回路コネクタ８０Ａを準備する。次にフレキシブル回路コネクタ８０Ａの一側端子部８３と第１基板９１の第１導電回路９３とが接続される。この場合、フレキシブル回路コネクタ８０Ａは一側端子部８３および他側端子部８４を下方に向けて第１導電回路９３上に重ね合わされ、フレキシブル回路コネクタ８０Ａの一側端子部８３が上方から加熱押圧（ヒートシール）される。このことにより一側端子部８３上の異方導電性接着剤８７が異方導電性能を発現して、一側端子部８３と第１導電回路９３とが接続される。
【００７３】
同様にしてフレキシブル回路コネクタ８０Ａの他側端子部８４と第２基板９２の第２導電回路９４とが接続される。
【００７４】
以上のように本実施の形態によれば、最下層基板３０ｂを折曲線６４を介して繰り返し折り曲げたり拡げたりしても、フレキシブル回路コネクタ８０Ａが破断することはない。このことにより、第１基板９１の第１導電回路９３と第２基板９２の第２導電回路９４との間で、破断したり破損することなく、第１導電回路９３と第２導電回路９４との間で安定した導通を確保することができる。
【００７５】
＜本発明の変形例＞
次に本発明の変形例について図８乃至図１１により説明する。図８乃至図１１に示すように、折曲線６４を介して第１基板９１と第２基板９２が連結され、第１基板９１と第２基板９２との間に折曲線６４を跨いで、第１基板９１上の第１導電回路９３と第２基板９３上の第２導電回路９４とを接続するフレキシブル回路コネクタ８０Ａが設けられている。
【００７６】
この場合、第１導電回路９３および第２導電回路９４は、各々端子９３ａおよび９４ａを有し、これら第１導電回路９３の端子９３ａと第２導電回路９４の端子９４ａは互いに離間している。そしてフレキシブル回路コネクタ８０Ａは絶縁性基材８１と、絶縁性基材８１上に設けられ一側端子部８３と他側端子部８４とを有する導電部８２とを有している。このうち一側端子部８３は第１導電回路９３の端子９３ａに接続され、他側端子部８４は第２導電回路９４の端子９４ａに接続される。
【００７７】
また第１導電回路９３の端子９３ａ上および第２導電回路９４の端子９４ａ上に異方導電性接着剤８７が設けられている（図１０参照）。これに限らずフレキシブル回路コネクタ８０Ａの一側端子部８３および他側端子部８４上に異方導電性接着剤８７を設けてもよく（図１１参照）、第１導電回路９３の端子９３ａおよび第２導電回路９４の端子９４ａ上、およびフレキシブル回路コネクタ８０Ａ上の双方に異方導電性接着剤８７を設けてもよい。
【００７８】
あるいはまた、第１基板９１上の第１導電回路９３の端子９３ａと第２基板９２上の第２導電回路９４の端子９４ａが予め接続線９６により接続され、第１基板９１と第２基板９２との間に折曲線６４を跨いで、第１導電回路９３の端子９３ａと第２導電回路９４の端子９４ａとを接続するため、フレキシブル回路コネクタ８０Ａを設けてもよい（図１２参照）。
【００７９】
この場合、フレキシブル回路コネクタ８０Ａは、第１導電回路９３と第２導電回路９４とを接続する接続線９６が破断した場合のバックアップ回路として機能する。
【００８０】
あるいはまた、図１３に示すように、折曲線６４を介して第１基板９１と、第２基板９２と、第３基板９５とが連結され、第１基板９１上には端子９３ａを有する第１導電回路９３が設けられ、第２基板９２上には端子９４ａを有する第２導電回路９４が設けられ、第３基板９５上には端子９７ａを有する第３導電回路９７が設けられている。
【００８１】
そして第１基板９１と第２基板９２との間に、折曲線６４を跨いでフレキシブル回路コネクタ８０Ａが設けられ、第２基板９２と第３基板９５との間に折曲線６４を跨いでフレキシブル回路コネクタ８０Ｂが設けられている。この場合、フレキシブル回路コネクタ８０Ａは第１導電回路９３の端子９３ａと第２導電回路９４の端子９４ａとを接続し、フレキシブル回路コネクタ８０Ｂは第２導電回路９４の端子９４ａと第３導電回路９７の端子９７ａとを接続する。
【００８２】
あるいはまた、図１４に示すように、第１基板９１と、第２基板９２と、第３基板９５とが折曲線６４を介して互いに連結され、第２基板９２には更に折曲線６４を介して第４基板９８が連結されている。そして第１基板９１と第２基板９２との間に、第１基板９１上の第１導電回路９３の端子９３ａと第２基板９２上の第２導電回路９４の端子９４ａとを接続するためフレキシブル回路コネクタ８０Ａを設けてもよく、第２基板９２と第４基板９８との間に第２基板９２上の第２導電回路９４の端子９４ａと第４基板９８上の第４導電回路９９の端子９９ａとを接続するためフレキシブル回路コネクタ８０Ｂを設けてもよい。
【００８３】
図１４において、第４基板９８には折曲線６４を介して第４基板９８を保護する保護基板９８Ａが連結され、第１基板９１には折曲線６４を介して第１基板９１を保護する保護基板９１Ａが連結されている。
【００８４】
あるいはまた、図１５に示すように、折曲線６４を介して第１基板９１と、第２基板９２と、第３基板９５と、第４基板９８とが連続して連結されている。そして第１基板９１と第２基板９２との間に折曲線６４を跨いで、第１基板９１上の第１導電回路９３の端子９３ａと第２基板９２上の第２導電回路９４の端子９４ａとを連結するためフレキシブル回路コネクタ８０Ａを設けてもよく、同様に第２基板９２と第３基板９５との間、第３基板９５と第４基板９８との間に、折曲線６４を跨いでフレキシブル回路コネクタ８０Ｂを設けてもよい。
【実施例】
【００８５】
＜実施例１＞
次に本発明の具体的実施例について図１６乃至図２２により説明する。
【００８６】
まず図１６に示すように服薬記録カード１の元となる紙基板３０を準備する。図１６の紙基板３０を縦方向に延びる折り目６１で三等分に分割した各分割基板３０ａ，３０ｂ，３０ｃには、それぞれ異なる導電パターン１８や切り欠き等が設けられる。なお、これら３つの分割基板３０ａ〜３０ｃは、折り目６１で折り曲げ可能とされており、物理的に切り離されるものではない。また、各分割基板３０ｂ，３０ｃは折曲線６４を有し、各分割基板３０ｂ，３０ｃは横方向に延びる各々の折曲線６４を介して二等分に折り畳まれる。
【００８７】
図１６の中央の分割基板３０ｂは、最下層に配置されて導電回路１８Ａが形成される最下層基板３０ｂである。その右側の分割基板３０ｃは、主に切り欠き６２とミシン目６３が形成され、最下層基板３０ｂの上に配置される中間層基板３０ｃである。最下層基板３０ｂの左側の分割基板３０ａは中間層基板３０ｃ上に配置される最上層基板３０ａである。
【００８８】
紙基板３０は表面にＰＥコートが施された台紙状のものであり、このうち中間層基板３０ｂにカーボンインキを用いて、図１６のような導電パターン１８と接地パターン１８ａとを有する導電回路１８Ａを形成した。
【００８９】
また中間層基板３０ｂに、物理的に破断されて電気的導通が遮断されるスイッチ接点３３を設けた。
【００９０】
台紙の導電インキの設計として、周囲を囲む接地パターン１８ａの幅は２ｍｍ、導電パターン１８の幅は１ｍｍとするが、折曲部６４にあたる部分はすべて２ｍｍ幅で設計した。紙基板３０の折曲部６４は、２本設けられ、２本の折曲線６４間の間隔は、錠剤５の厚みを考慮して１０ｍｍとなっている。
【００９１】
次に通信モジュール用の端子部３９と、第１基板９１上の第１導電回路９３の端子９３ａと第２基板９２の第２導電回路９４の端子９４ａ上に異方導電性接着剤８７を塗布した（図１７）。この場合、異方導電性接着剤８７は、端子部３９上において５ｍｍ幅をもち、端子９３ａ，９４ａ上において５×５ｍｍの面積をもつ。また、端子９３ａ，９４ａ間の導電回路１８Ａは２×１６ｍｍに形成された。
【００９２】
次にフレキシブル回路コネクタ８０Ａを図１８に示すように作製した。
【００９３】
ＰＥＴフィルム（絶縁性基材）８１に、銀インキを用いて、台紙パターンにあわせて導電部８２を形成した。導電部８２の幅は２ｍｍとした。
【００９４】
また導電部８２のうち一側端子部８３と他側端子部８４以外の回路には、保護の目的で絶縁層８８を設けた。
【００９５】
次に第１基板９１の第１導電回路９３の端子９３ａおよび第２基板９２の第２導電回路９４の端子９４ａと、フレキシブル回路コネクタ８０Ａの一側端子部８３および他側端子部８４とを熱シールし接続した。
【００９６】
次に通信モジュール１０を、第２基板９２の端子部３９とヒートシールして、異方導電性接着剤８７を介して接続した。
【００９７】
次に最上層基板３０ａにより導電回路１８Ａ全体を覆い、情報記録装置１を完成させた。
【００９８】
＜実施例２＞
液体用原紙からなる紙基板３０の最下層基板３０ｂに、カーボンインキを用いて、図１９のような回路を形成し、押圧することで導通するスイッチ接点３４を有する導電回路１８Ａを形成し、その情報を記録する情報記録装置１を作成した。
【００９９】
紙基板３０の折曲部６４は、２本設けられ、２本の折曲線６４間の間隔は、５ｍｍとした。
【０１００】
ここで図１９は服薬記録カード１の元となる紙基板３０を展開した図である。図１９に示すように紙基板３０を縦方向に延びる折り目６１で三等分に分割した各分割基板３０ａ，３０ｂ，３０ｃには、それぞれ異なる導電パターン１８および接地パターン１８ａからなる導電回路１８Ａや切り欠き等が設けられる。なお、これら３つの分割基板３０ａ〜３０ｃは、折り目６１で折り曲げ可能とされており、物理的に切り離されるものではない。また、各分割基板３０ｂ，３０ｃは折曲線６４を有し、各分割基板３０ｂ，３０ｃは横方向に延びる各々の折曲線６４を介して三等分に折り畳まれる。
【０１０１】
図１９の中央の分割基板３０ｂは、最下層に配置されて導電回路１８Ａが形成される最下層基板３０ｂである。その右側の分割基板３０ｃは、主に切り欠き６２を有し、最下層基板３０ｂの上に配置される中間層基板３０ｃである。最下層基板３０ｂの左側の分割基板３０ａは中間層基板３０ｃ上に配置される最上層基板３０ａである。
【０１０２】
台紙の導電インキの設計として、周囲を囲む接地パターン１８ａの幅は２ｍｍ、導電パターン１８の幅は１ｍｍとし、第１導電回路９３の端子９３ａおよび第２導電回路９４の端子９４ａは２×４ｍｍ角の大きさをもつ。
【０１０３】
次にフレキシブル回路コネクタ８０Ａ，８０Ｂを図２０に示すように作製した。
【０１０４】
ＰＥＴフィルム（絶縁性基材）８１に、銀インキを用いて、台紙パターンにあわせて導電部８２を形成した。導電部８２の幅は２ｍｍとした。
【０１０５】
導電部８２の一側端子部８３および他側端子部８４に異方導電性接着剤８７および異方導電性接着剤８７以外の部分に絶縁層８８を塗布した。
【０１０６】
また最下層基板３０ｂの２箇所の折曲部６４に、同じフレキシブル回路コネクタ８０Ａ，８０Ｂを設けた。
【０１０７】
次に第１基板９１の第１導電回路９３の端子９３ａ、第２基板９２の第２導電回路９４の端子９４ａ、第３基板９５の第３導電回路９７の端子９７ａと、フレキシブル回路コネクタ８０Ａ，８０Ｂの一側端子部８３および他側端子部８４とを熱シールし接続した。
【０１０８】
次に通信モジュール１０を第３基板９５の端子部３９に異方導電性接着剤を介して接続した。
【０１０９】
なおフレキシブル回路コネクタ８０Ａ，８０Ｂは、銀インキによる導電部８２と、異方導電性接着剤８７と、絶縁層８８から構成される。
【０１１０】
次に最上層基板３０ａにより導電回路１８Ａ全体を覆い、最上層基板３０ａを接着させて情報記録装置１を作製した。
【０１１１】
＜実施例３＞
紙基板３０として板紙を使用し、第１基板９１の端子９３ａ、第２基板９２の端子９４ａおよび第３基板９５の端子９７ａに異方導電性接着剤８７を設けた。
それ以外は、実施例２と同様に情報記録装置１を作製した。
【０１１２】
＜比較例１＞
折曲部６４に、フレキシブル回路コネクタ８０Ａを設けないこと以外は、実施例１と同様に、情報記録装置１を作製した。
【０１１３】
＜比較例２＞
折曲部６４に、フレキシブル回路コネクタ８０Ａ，８０Ｂを設けることなく、かつ折曲部６４を跨いで導電回路１８Ａを設けたこと以外は、実施例２と同様にして情報記録装置１を作製した。
【０１１４】
＜比較例３＞
折曲部６４に、フレキシブル回路コネクタ８０Ａ，８０Ｂを設けることなく、折曲部６４を跨いで導電回路１８Ａを設けた。
それ以外は、実施例３と同様な情報記録装置１を作製した。
【０１１５】
＜評価＞
次に実施例１〜３、比較例１〜３により得られた情報記録装置１に関し、折曲テストを行い、各評価ごとに断線の有無を確認した。
【０１１６】
（確認の方法）
（実施例１と比較例１）
情報記録装置１を折曲部６４を介して２つ折りした（図２１）。
通信モジュール１０を起動させ、折曲テストを実施。
終了後、結果をパソコンに取り込み、断線の有無を確認する。
１本でも断線した箇所があればＮＧとする。
【０１１７】
（実施例２、３と比較例２、３）
情報記録装置１を、折曲部６４を介して３つ折りした（図２２）。
ボタンを押圧すると導通すると音が鳴るように設定し、通信モジュール１０を起動させ、折曲テストを実施した。
１枚の情報記録装置１は、２箇所の折曲部６４をもっているが、その双方の折り曲げを行った。
終了後、情報記録装置１でボタンを押す。全てボタンが鳴ればＯＫ、１箇所でもボタンが鳴らなければＮＧとする。また、パソコンに取り込み、結果を確認する。
【０１１８】
（折曲評価）
条件１．折曲部６４を、一方向にコ字状に１００回折り曲げる。
条件２．さらに、一方向に１００回折り曲げる。
条件３．さらに、逆側にコ字状に１０回折り曲げる。
条件４．さらに、逆折りコ字状を形成させるよう１０回折り曲げる。
【０１１９】
上記のテストを各々３枚の情報記録装置１について実施した。
なお、ＮＧが出た段階で評価は終了とした。
【０１２０】
次にテストの結果を表１に示す。
【表１】
2018006272.tif 000003
表１において○は断線なし、×は断線ありとした。
【０１２１】
評価の結果、実施例１、２、３の情報記録装置では全ての評価をクリアした。
【０１２２】
比較例１、比較例２の情報記録装置では正折りはクリアしたが、逆折りには弱かった。
【０１２３】
比較例３の情報記録装置は、１００回でＮＧとなるものがあった。
【０１２４】
この結果から、フレキシブル回路コネクタを使用することで、耐折性が増すことが示された。
【符号の説明】
【０１２５】
１  服薬記録カード
２  情報入力面
３  スタートボタン
４  取り消しボタン
５  薬（錠剤）
６（６ａ〜６ｅ）  選択ボタン
７（７ａ〜７ｃ）  選択ボタン
１０  通信モジュール
１１  フィルム基板
１２  ＡＳＩＣ
１３  水晶振動子
１４  ボタン電池
１５  スピーカ
１６  パッド
１７  アンテナパターン
１８  導電パターン
１８Ａ  導電回路
１８ａ  接地パターン
３０  紙基板
３０ａ，３０ｂ，３０ｃ  分割基板
３０ｂ１  第１パターン面
３０ｂ２  第２パターン面
３０ｂ３  第３パターン面
３１〜３７  スイッチ接点
３９  端子部
４０  苦痛度記録カード
４１  スタートボタン
４２  選択ボタン
４３  服用記録ボタン
４４  停止ボタン
４５  選択ボタン
４６  スタートボタン
４７  選択ボタン
５１〜５７  スイッチ接点
６１  折り目
６２  孔（切り欠き）
６３  ミシン目
６４  折曲線
７０  回路基板
８０  フレキシブル回路コネクタ
８１  絶縁性基材
８２  導電部
８３  一側端子部
８４  他側端子部
８７  異方導電性接着剤
８８  絶縁層
９０  回路コネクタ
９１  第１基板
９２  第２基板
９３  第１導電回路
９３ａ  端子
９５  第３基板
９７  第３導電回路
【図１】
2018006272.tif 000004
【図２】
2018006272.tif 000005
【図３】
2018006272.tif 000006
【図４】
2018006272.tif 000007
【図５】
2018006272.tif 000008
【図６Ａ】
2018006272.tif 000009
【図６Ｂ】
2018006272.tif 000010
【図７Ａ】
2018006272.tif 000011
【図７Ｂ】
2018006272.tif 000012
【図８】
2018006272.tif 000013
【図９】
2018006272.tif 000014
【図１０】
2018006272.tif 000015
【図１１】
2018006272.tif 000016
【図１２】
2018006272.tif 000017
【図１３】
2018006272.tif 000018
【図１４】
2018006272.tif 000019
【図１５】
2018006272.tif 000020
【図１６】
2018006272.tif 000021
【図１７】
2018006272.tif 000022
【図１８】
2018006272.tif 000023
【図１９】
2018006272.tif 000024
【図２０】
2018006272.tif 000025
【図２１】
2018006272.tif 000026
【図２２】
2018006272.tif 000027